(57)【要約】【課題】  隣り合う一対のローラーブラインドの隙間に起因する日射光の漏れおよび漏気の発生を抑えることのできるブラインドシステム。【解決手段】  間隔を隔てて配置された複数のローラーブラインド（１）を備えた本発明のブラインドシステムは、隣り合う一対のローラーブラインド（１ａ，１ｂ）の隙間を遮るためのサブブラインド（２）を備えている。各ローラーブラインドは、その両側において鉛直方向に延びるワイヤー（１４；１４ａ，１４ｂ）により案内されて昇降するように構成されている。サブブラインド（２；２１，２２，２３）は、鉛直方向に伸縮自在な形態を有し、一対のローラーブラインドのうちの一方のローラーブラインドのワイヤー（１４ａ）および他方のローラーブラインドのワイヤー（１４ｂ）が貫通した状態で、その上端が所定の高さ位置に取り付けられている。【選択図】  図２
2015229871.tif 000002
【特許請求の範囲】
【請求項１】
間隔を隔てて配置された複数のローラーブラインドを備えたブラインドシステムであって、
隣り合う一対のローラーブラインドの隙間を遮るためのサブブラインドを備え、
各ローラーブラインドは、その両側において鉛直方向に延びるワイヤーにより案内されて昇降するように構成され、
前記サブブラインドは、鉛直方向に伸縮自在な形態を有し、前記一対のローラーブラインドのうちの一方のローラーブラインドのワイヤーおよび他方のローラーブラインドのワイヤーが貫通した状態で、その上端が所定の高さ位置に取り付けられていることを特徴とするブラインドシステム。
【請求項２】
各ローラーブラインドは、その下端から両側へ突出したガイド部材を有し、前記一方のローラーブラインドのワイヤーおよび前記他方のローラーブラインドのワイヤーと対応する前記ガイド部材との係合により案内されて昇降するように構成されていることを特徴とする請求項１に記載のブラインドシステム。
【請求項３】
前記サブブラインドは、上端部材と、下端部材と、前記上端部材と前記下端部材との間に設けられた蛇腹折り部とを有し、
前記一方のローラーブラインドのワイヤーおよび前記他方のローラーブラインドのワイヤーは、前記上端部材、前記蛇腹折り部および前記下端部材を貫通していることを特徴とする請求項１または２に記載のブラインドシステム。
【請求項４】
前記サブブラインドは、前記下端部材が前記ガイド部材の上に載置された状態で設置されていることを特徴とする請求項３に記載のブラインドシステム。
【請求項５】
前記蛇腹折り部は、前記ローラーブラインドと同じ材料または類似の材料により形成されていることを特徴とする請求項３または４に記載のブラインドシステム。
【請求項６】
前記上端部材および前記下端部材は、プレート状の形態を有することを特徴とする請求項３乃至５のいずれか１項に記載のブラインドシステム。
【請求項７】
間隔を隔てて設置された一対のローラーブラインドの隙間を遮るためのサブブラインドを付設する方法であって、
各ローラーブラインドは、その両側において鉛直方向に延びるワイヤーと、各ローラーブラインドの下端から両側へ突出したガイド部材との係合により案内されて昇降するように構成され、
前記サブブラインドは、鉛直方向に伸縮自在な形態を有し、
前記一対のローラーブラインドのうちの一方のローラーブラインドのワイヤーの下端および他方のローラーブラインドのワイヤーの下端を所定位置から取り外し、
前記一方のローラーブラインドのワイヤーおよび前記他方のローラーブラインドのワイヤーが前記サブブラインドを貫通するように設定し、
前記一方のローラーブラインドのワイヤーの下端および前記他方のローラーブラインドのワイヤーの下端を前記所定位置に再度取り付けるとともに、前記サブブラインドの上端を所定の高さ位置に取り付けることを特徴とするサブブラインドの付設方法。
【請求項８】
前記サブブラインドとして、上端部材と下端部材との間に蛇腹折り部が設けられた形態のサブブラインドを用いることを特徴とする請求項７に記載のサブブラインドの付設方法。
【請求項９】
前記下端部材を前記ガイド部材の上に載置した状態で前記サブブラインドを設置することを特徴とする請求項８に記載のサブブラインドの付設方法。
【発明の詳細な説明】
【技術分野】
【０００１】
本発明は、ブラインドシステム、およびサブブラインドの付設方法に関する。さらに詳細には、本発明は、間隔を隔てて配置された複数のローラーブラインドを備えたブラインドシステムに関するものである。
【背景技術】
【０００２】
比較的高い天井および比較的広い窓面を有する空間では、窓面からの日射光などを遮るために、水平方向に間隔を隔てて複数のローラーブラインド（ロールスクリーンを含む）を配置することが多い。この場合、ブラインドを降ろしたときに隣り合う一対のローラーブラインドの間に、鉛直方向に沿って比較的幅の広い隙間が不可避的に形成されることがある。
【発明の概要】
【発明が解決しようとする課題】
【０００３】
隣り合う一対のローラーブラインドの間に隙間があると、この隙間を介して外部から室内へ日射光が漏れて、まぶしさ感により不快な視環境になり易いという不都合があった。また、一対のローラーブラインドの隙間からの漏気により、夏には熱風が、冬には冷風が室内側へ侵入し、空調負荷の増大を招き易いという不都合があった。
【０００４】
本発明は、前述の課題に鑑みてなされたものであり、隣り合う一対のローラーブラインドの隙間に起因する日射光の漏れおよび漏気の発生を抑えることのできるブラインドシステムを提供することを目的とする。
【課題を解決するための手段】
【０００５】
前記課題を解決するために、本発明の第１形態では、間隔を隔てて配置された複数のローラーブラインドを備えたブラインドシステムであって、
隣り合う一対のローラーブラインドの隙間を遮るためのサブブラインドを備え、
各ローラーブラインドは、その両側において鉛直方向に延びるワイヤーにより案内されて昇降するように構成され、
前記サブブラインドは、鉛直方向に伸縮自在な形態を有し、前記一対のローラーブラインドのうちの一方のローラーブラインドのワイヤーおよび他方のローラーブラインドのワイヤーが貫通した状態で、その上端が所定の高さ位置に取り付けられていることを特徴とするブラインドシステムを提供する。
【０００６】
本発明の第２形態では、間隔を隔てて設置された一対のローラーブラインドの隙間を遮るためのサブブラインドを付設する方法であって、
各ローラーブラインドは、その両側において鉛直方向に延びるワイヤーと、各ローラーブラインドの下端から両側へ突出したガイド部材との係合により案内されて昇降するように構成され、
前記サブブラインドは、鉛直方向に伸縮自在な形態を有し、
前記一対のローラーブラインドのうちの一方のローラーブラインドのワイヤーの下端および他方のローラーブラインドのワイヤーの下端を所定位置から取り外し、
前記一方のローラーブラインドのワイヤーおよび前記他方のローラーブラインドのワイヤーが前記サブブラインドを貫通するように設定し、
前記一方のローラーブラインドのワイヤーの下端および前記他方のローラーブラインドのワイヤーの下端を前記所定位置に再度取り付けるとともに、前記サブブラインドの上端を所定の高さ位置に取り付けることを特徴とするサブブラインドの付設方法を提供する。
【発明の効果】
【０００７】
本発明では、隣り合う一対のローラーブラインドの隙間を遮るためのサブブラインドを備えている。サブブラインドは、鉛直方向に伸縮自在な形態を有し、ローラーブラインドの側方のワイヤーが貫通した状態で、その上端が所定の高さ位置に取り付けられている。本発明では、このサブブラインドの作用により、隣り合う一対のローラーブラインドの隙間に起因する日射光の漏れおよび漏気の発生を抑えることができ、ひいてはまぶしさ感により視環境が不快になったり、漏気により空調負荷が増大したりするのを防ぐことができる。
【図面の簡単な説明】
【０００８】
【図１】本発明の実施形態にかかるブラインドシステムにおいて間隔を隔てて配置される一対のローラーブラインドの基本構成を概略的に示す図である。
【図２】本実施形態にかかるブラインドシステムの要部構成を示す図であって、一対のローラーブラインドの間に取り付けられたサブブラインドの構成を概略的に示す図である。
【図３】本実施形態にかかるサブブラインドの構成を概略的に示す図である。
【図４】本実施形態にかかるサブブラインドが鉛直方向に伸縮自在な様子を示す図である。
【発明を実施するための形態】
【０００９】
本発明の実施形態を、添付図面に基づいて説明する。図１は、本発明の実施形態にかかるブラインドシステムにおいて間隔を隔てて配置される一対のローラーブラインドの基本構成を概略的に示す図である。図２は、本実施形態にかかるブラインドシステムの要部構成を示す図であって、一対のローラーブラインドの間に取り付けられたサブブラインドの構成を概略的に示す図である。
【００１０】
本実施形態では、いわゆるロールスクリーンと呼称される複数のローラーブラインド１が水平方向に間隔を隔てて配置される例に対して本発明を適用している。ローラーブラインド１は、図１に示すように、その上端において水平方向に延びる巻取りパイプ１１と、その下端において水平方向に延びるウェイトバー１２と、巻取りパイプ１１とウェイトバー１２との間に張架されたスクリーン１３とを備えている。スクリーン１３として、例えば不織布を用いることができる。
【００１１】
また、ローラーブラインド１は、図２に示すように、その両側において鉛直方向に延びるワイヤー１４（１４ａ，１４ｂ）と、各ローラーブラインド１（１ａ，１ｂ）の下端から両側へ突出したガイド部材１５とをさらに備えている。ワイヤー１４は、その上端が例えばカーテンボックス（不図示）に取り付けられ、その下端が例えば床に設置されたワイヤーウェイト１６に着脱自在に取り付けられている。
【００１２】
ガイド部材１５は、例えば対応するワイヤー１４を挟み込むように構成された馬蹄形の部分と直線状の部分との組み合わせからなり、全体として音叉状に形成されている。ただし、ガイド部材１５の具体的な形態については、様々な変形例が可能である。また、ワイヤー１４の下端の着脱自在な取り付け形態についても、様々な変形例が可能である。
【００１３】
ローラーブラインド１は、例えば遠隔制御される駆動部（不図示）の作用により随時巻き上げ可能に構成され、ひいては昇降可能に構成されている。さらに詳細には、ローラーブラインド１は、ワイヤー１４とガイド部材１５との係合により案内されて昇降するように構成されている。なお、図面の明瞭化のために、図１ではローラーブラインド１のワイヤー１４、ガイド部材１５、およびワイヤーウェイト１６の図示を省略し、図２ではローラーブラインド１の巻取りパイプ１１の図示を省略している。
【００１４】
本実施形態では、図２に示すように、隣り合う一対のローラーブラインド１ａと１ｂとの隙間を遮るためのサブブラインド２を備えている。サブブラインド２は、図２および図３に示すように、上端プレート部材２１と、下端プレート部材２２と、上端プレート部材２１と下端プレート部材２２との間に設けられた蛇腹折り部２３とを有する。蛇腹折り部２３は、山折りと谷折りとを交互に繰り返すことにより得られるアコーディオン状の形態を有し、例えばローラーブラインド１のスクリーン１３と同じ材料または類似の材料により形成されている。
【００１５】
また、サブブラインド２は、図２に示すように、隣り合う一対のローラーブラインドのうちの一方のローラーブラインド１ａのワイヤー１４ａおよび他方のローラーブラインド１ｂのワイヤー１４ｂが貫通した状態で、例えば上端プレート部材２１がカーテンボックス（不図示）に取り付けられている。すなわち、サブブラインド２の上端は所定の高さ位置に取り付けられ、ワイヤー１４ａおよび１４ｂは上端プレート部材２１、下端プレート部材２２および蛇腹折り部２３を貫通している。さらに、サブブラインド２は、下端プレート部材２２が一対のガイド部材１５の上に載置された状態で設置されている。
【００１６】
その結果、サブブラインド２は、図４に示すように、鉛直方向に伸縮自在な形態を有する。具体的には、隣り合う一対のローラーブラインド１（１ａ，１ｂ）がともに降りているときには、バランスウェイトとして機能する下端プレート部材２２が下方位置にあるガイド部材１５により支えられる。その結果、図２および図４（ａ）に示すように、蛇腹折り部２３が鉛直方向に伸びた状態になったサブブラインド２が、一対のローラーブラインド１（１ａ，１ｂ）の隙間を遮る。すなわち、隣り合う一対のローラーブラインド１（１ａ，１ｂ）がともに降りたときには、その隙間は鉛直方向に伸びた状態にあるサブブラインド２により遮られる。
【００１７】
一方、隣り合う一対のローラーブラインド１（１ａ，１ｂ）がともに巻き上げられたときには、図４（ｂ）に示すように、サブブラインド２の下端プレート部材２２が上方位置にあるガイド部材１５により支えられた状態になり、ひいてはサブブラインド２の蛇腹折り部２３は所望のように鉛直方向に縮んだ状態になる。なお、隣り合う一対のローラーブラインド１のうちのいずれか一方だけが巻き上げられたときにも、巻き上げられるローラーブラインド１ａまたは１ｂのガイド部材１５により支えられて、サブブラインド２の下端プレート部材２２が下方位置から上方位置へ移行し、サブブラインド２の蛇腹折り部２３は鉛直方向に縮んだ状態になる。
【００１８】
次に、間隔を隔てて既設された一対のローラーブラインド１の隙間を遮るためのサブブラインド２を付設する方法について説明する。本実施形態の付設方法では、一対のローラーブラインド１（１ａ，１ｂ）のうちの一方のローラーブラインド１ａのワイヤー１４ａの下端および他方のローラーブラインド１ｂのワイヤー１４ｂの下端を、対応するワイヤーウェイト１６からそれぞれ取り外す。
【００１９】
次いで、ワイヤー１４ａ，１４ｂがサブブラインド２の全体を貫通するように設定する。すなわち、ワイヤー１４ａの下端およびワイヤー１４ｂの下端を、サブブラインド２の上端プレート部材２１、下端プレート部材２２および蛇腹折り部２３を貫通するように形成された一連の孔に通す。このとき、下端プレート部材２２をガイド部材１５の上に載置した状態でサブブラインド２を設置する。
【００２０】
最後に、ワイヤー１４ａの下端およびワイヤー１４ｂの下端を、対応するワイヤーウェイト１６に再度取り付けるとともに、サブブラインド２の上端を所定の高さ位置に取り付ける。具体的には、サブブラインド２の上端プレート部材２１を、例えばカーテンボックス（不図示）などに取り付ける。一例として、上端プレート部材２１の上側にマグネットを予め固定しておき、このマグネットの作用により金属製のカーテンボックスに上端プレート部材２１を取り付けても良い。
【００２１】
本実施形態では、隣り合う一対のローラーブラインド１（１ａ，１ｂ）の隙間を遮るためのサブブラインド２を備えている。サブブラインド２は、鉛直方向に伸縮自在な形態を有し、ローラーブラインド１（１ａ，１ｂ）の側方のワイヤー１４（１４ａ，１４ｂ）が貫通した状態で、その上端が所定の高さ位置に取り付けられている。その結果、本実施形態では、サブブラインド２の作用により、隣り合う一対のローラーブラインド１（１ａ，１ｂ）の隙間に起因する日射光の漏れおよび漏気の発生を抑えることができ、ひいてはまぶしさ感により視環境が不快になったり、漏気により空調負荷が増大したりするのを防ぐことができる。
【００２２】
また、本実施形態では、上述したように、複数のローラーブラインド１を備えた既設のブラインドシステムに対して、その隙間を遮るためのサブブラインド２を後付けすることが可能である。また、本実施形態では、複数のローラーブラインド１とともに新設されたサブブラインド２、あるいは既設のブラインドシステムに後付けされたサブブラインド２が、ローラーブラインド１の昇降に連動して無動力で昇降可能である。また、本実施形態では、サブブラインド２の蛇腹折り部２３を、ローラーブラインド１のスクリーン１３と同じ材料または類似の材料により形成すれば、サブブラインド２の設置に伴う違和感がなく、ブラインド全体の美観を損なうこともない。
【００２３】
なお、上述の実施形態では、間隔を隔てて既設された一対のローラーブラインド１（１ａ，１ｂ）の隙間を遮るためのサブブラインド２を付設する方法に対して本発明を適用している。しかしながら、これに限定されることなく、複数のローラーブラインドを新設する際に、その隙間を遮るためのサブブラインドを設置する方法に対しても同様に、本発明を適用することができる。
【００２４】
また、上述の実施形態では、ロールスクリーンと呼ばれる複数のローラーブラインド１（１ａ，１ｂ）が間隔を隔てて配置される例に対して本発明を適用している。しかしながら、これに限定されることなく、ロールスクリーン以外の様々な形態を有する複数のローラーブラインドが間隔を隔てて配置される例に対しても同様に、本発明を適用することができる。
【符号の説明】
【００２５】
１；１ａ，１ｂ  ローラーブラインド
２  サブブラインド
１１  巻取りパイプ
１２  ウェイトバー
１３  スクリーン
１４；１４ａ，１４ｂ  ワイヤー
１５  ガイド部材
１６  ワイヤーウェイト
２１  上端プレート部材
２２  下端プレート部材
２３  蛇腹折り部
【図１】
2015229871.tif 000003
【図２】
2015229871.tif 000004
【図３】
2015229871.tif 000005
【図４】
2015229871.tif 000006